【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
他の画像処理装置と通信可能な画像処理装置であって、
前記他の画像処理装置に記憶されている画像データの送信、及び当該画像データをコピーしたコピーデータの保持を、前記他の画像処理装置に要求する要求手段と、
前記他の画像処理装置から送信された前記画像データを受信する受信手段と、
前記受信手段によって受信した画像データを記憶する記憶手段と、
前記記憶手段によって記憶された画像データに基づいて画像処理を行っている際に、当該画像処理よりも優先されるジョブが発生したか否かを判定する判定手段と、
前記判定手段によって前記ジョブが発生したと判定された場合、前記記憶手段を用いて当該ジョブを処理する処理手段と、
前記ジョブを処理した後、前記コピーデータの送信を前記他の画像処理装置に要求する第２の要求手段と、
前記第２の要求手段による要求に応じて前記他の画像処理装置から送信された前記コピーデータに基づいて、前記画像処理を再開させる制御手段と、
を有することを特徴とする画像処理装置。
【請求項２】
前記画像データ又は前記コピーデータに基づいた前記画像処理を終了するのに応じて、前記コピーデータを記憶部から削除する要求を前記他の画像処理装置に送信する送信手段を更に有することを特徴とする請求項１記載の画像処理装置。
【請求項３】
前記記憶部は、前記他の画像処理装置又はネットワーク上の他の装置が備え、前記画像処理装置が備える記憶部よりも大容量の記憶部であることを特徴とする請求項２記載の画像処理装置。
【請求項４】
画像データを記憶部に記憶する第１の記憶手段と、
前記第１の記憶手段によって記憶された画像データの送信要求を他の画像処理装置から受信する受信手段と、
前記受信手段によって受信した要求に応じて、前記第１の記憶手段によって記憶された画像データを前記他の画像処理装置に送信する送信手段と、
前記受信手段によって受信した要求に応じて、前記第１の記憶手段によって記憶された画像データをコピーしたコピーデータを生成し、前記記憶部又は他の記憶部に記憶する第２の記憶手段と、
前記他の画像処理装置からの要求に応じて、前記第２の記憶手段によって記憶されたコピーデータを、前記他の画像処理装置に送信する第２の送信手段と、
前記他の画像処理装置からの指示に応じて、前記第２の記憶手段によって記憶されたコピーデータを削除する削除手段と、
を有することを特徴とする画像処理装置。
【請求項５】
前記記憶部に、前記コピーデータを記憶するために必要な空き容量があるか否かを判断する判断手段を更に有し、
前記第２の記憶手段は、前記判断手段によって、必要な空き容量があると判断された場合には前記記憶部に前記コピーデータを記憶し、必要な空き容量がないと判断された場合には前記他の記憶部に前記コピーデータを記憶することを特徴とする請求項４記載の画像処理装置。
【請求項６】
他の画像処理装置と通信可能な画像処理装置であって、
前記他の画像処理装置に記憶されている画像データの送信を、前記他の画像処理装置に要求する要求手段と、
前記他の画像処理装置から送信された前記画像データを受信する受信手段と、
前記受信手段によって受信した画像データを記憶する第１の記憶手段と、
前記第１の記憶手段によって記憶された画像データに基づいて画像処理を行っている際に、当該画像処理よりも優先されるジョブが発生したか否かを判定する判定手段と、
前記判定手段によって前記ジョブが発生したと判定され、且つ、前記他の画像処理装置に記憶されている画像データが改変されている場合、前記第１の記憶手段によって記憶された画像データを他の記憶部に記憶する第２の記憶手段と、
前記ジョブを処理した後、前記第２の記憶手段によって記憶した画像データを前記他の記憶部から取得する取得手段と、
前記取得手段によって取得した画像データに基づいて、前記画像処理を再開させる制御手段と、
を有することを特徴とする画像処理装置。
【請求項７】
前記判定手段によって前記ジョブが発生したと判定され、且つ、前記他の画像処理装置に記憶されている画像データが改変されていない場合、前記他の画像処理装置に記憶されている画像データをコピーしたコピーデータの保持を、前記他の画像処理装置に要求する第２の要求手段と、
前記ジョブを処理した後、前記コピーデータの送信を前記他の画像処理装置に要求する第３の要求手段と、
前記制御手段は、前記第３の要求手段による要求に応じて前記他の画像処理装置から送信された前記コピーデータに基づいて、前記画像処理を再開させることを特徴とする請求項６記載の画像処理装置。
【請求項８】
前記画像データ又は前記コピーデータに基づいた前記画像処理を終了するのに応じて、前記コピーデータを記憶部から削除する要求を前記他の画像処理装置に送信する送信手段を更に有することを特徴とする請求項７記載の画像処理装置。
【請求項９】
前記他の画像処理装置に記憶されている画像データが改変されているか否かを判断する判断手段を更に有することを特徴とする請求項６乃至８の何れかに記載の画像処理装置。
【請求項１０】
前記判断手段は、前記第１の記憶手段によって記憶された画像データのハッシュ値と、前記他の画像処理装置に記憶されている画像データのハッシュ値とを比較することによって判断することを特徴とする請求項９記載の画像処理装置。
【請求項１１】
他の画像処理装置と通信可能な画像処理装置の制御方法であって、
前記他の画像処理装置に記憶されている画像データの送信、及び当該画像データをコピーしたコピーデータの保持を、前記他の画像処理装置に要求する要求工程と、
前記他の画像処理装置から送信された前記画像データを受信する受信工程と、
前記受信工程で受信した画像データを記憶手段に記憶する記憶工程と、
前記記憶工程で前記記憶手段に記憶された画像データに基づいて画像処理を行っている際に、当該画像処理よりも優先されるジョブが発生したか否かを判定する判定工程と、
前記判定工程で前記ジョブが発生したと判定された場合、前記記憶手段を用いて当該ジョブを処理する処理工程と、
前記ジョブを処理した後、前記コピーデータの送信を前記他の画像処理装置に要求する第２の要求工程と、
前記第２の要求工程による要求に応じて前記他の画像処理装置から送信された前記コピーデータに基づいて、前記画像処理を再開させる制御工程と、
を有することを特徴とする画像処理装置の制御方法。
【請求項１２】
画像データを記憶部に記憶する第１の記憶工程と、
前記第１の記憶工程で前記記憶部に記憶された画像データの送信要求を他の画像処理装置から受信する受信工程と、
前記受信工程で受信した要求に応じて、前記第１の記憶工程で前記記憶部に記憶された画像データを前記他の画像処理装置に送信する送信工程と、
前記受信工程で受信した要求に応じて、前記第１の記憶工程で前記記憶部に記憶された画像データをコピーしたコピーデータを生成し、前記記憶部又は他の記憶部に記憶する第２の記憶工程と、
前記他の画像処理装置からの要求に応じて、前記第２の記憶工程で前記記憶部又は他の記憶部に記憶されたコピーデータを、前記他の画像処理装置に送信する第２の送信工程と、
前記他の画像処理装置からの指示に応じて、前記第２の記憶工程で前記記憶部又は他の記憶部に記憶されたコピーデータを削除する削除工程と、
を有することを特徴とする画像処理装置の制御方法。
【請求項１３】
他の画像処理装置と通信可能な画像処理装置の制御方法であって、
前記他の画像処理装置に記憶されている画像データの送信を、前記他の画像処理装置に要求する要求工程と、
前記他の画像処理装置から送信された前記画像データを受信する受信工程と、
前記受信手段によって受信した画像データを記憶部に記憶する第１の記憶工程と、
前記第１の記憶工程で前記記憶部に記憶された画像データに基づいて画像処理を行っている際に、当該画像処理よりも優先されるジョブが発生したか否かを判定する判定工程と、
前記判定工程で前記ジョブが発生したと判定され、且つ、前記他の画像処理装置に記憶されている画像データが改変されている場合、前記第１の記憶工程で前記記憶部に記憶された画像データを他の記憶部に記憶する第２の記憶工程と、
前記ジョブを処理した後、前記第２の記憶工程で前記他の記憶部に記憶された画像データを前記他の記憶部から取得する取得工程と、
前記取得工程で取得した画像データに基づいて、前記画像処理を再開させる制御工程と、
を有することを特徴とする画像処理装置の制御方法。
【請求項１４】
請求項１１乃至１３の何れかに記載の制御方法の各工程を、コンピュータに実行させるためのプログラム。
【手続補正２】
【補正対象書類名】明細書
【補正対象項目名】発明の名称
【補正方法】変更
【補正の内容】
【発明の名称】画像処理装置、画像処理装置の制御方法およびプログラム
【手続補正３】
【補正対象書類名】明細書
【補正対象項目名】０００１
【補正方法】変更
【補正の内容】
【０００１】
本発明は、外部装置に格納されている印刷データを引き出し、該印刷データの印刷ジョブを実行可能な画像処理装置、画像処理装置の制御方法およびプログラムに関する。
【手続補正４】
【補正対象書類名】明細書
【補正対象項目名】００１０
【補正方法】変更
【補正の内容】
【００１０】
本発明の目的は、他の画像処理装置から送信された画像データに基づいた画像処理の実行中における当該画像データの改変を許可することである。更に、割り込みジョブの発生による画像データの退避の回数を極力少なくし、ネットワークに対する余計な負荷を減らすことができる画像処理装置、その制御方法およびプログラムを提供することにある。
【手続補正５】
【補正対象書類名】明細書
【補正対象項目名】００１１
【補正方法】変更
【補正の内容】
【００１１】
本発明は、上記目的を達成するため、他の画像処理装置と通信可能な画像処理装置であって、前記他の画像処理装置に記憶されている画像データの送信、及び当該画像データをコピーしたコピーデータの保持を、前記他の画像処理装置に要求する要求手段と、前記他の画像処理装置から送信された前記画像データを受信する受信手段と、前記受信手段によって受信した画像データを記憶する記憶手段と、前記記憶手段によって記憶された画像データに基づいて画像処理を行っている際に、当該画像処理よりも優先されるジョブが発生したか否かを判定する判定手段と、前記判定手段によって前記ジョブが発生したと判定された場合、前記記憶手段を用いて当該ジョブを処理する処理手段と、前記ジョブを処理した後、前記コピーデータの送信を前記他の画像処理装置に要求する第２の要求手段と、 前記第２の要求手段による要求に応じて前記他の画像処理装置から送信された前記コピーデータに基づいて、前記画像処理を再開させる制御手段と、を有することを特徴とする画像処理装置を提供する。
【手続補正６】
【補正対象書類名】明細書
【補正対象項目名】００１３
【補正方法】変更
【補正の内容】
【００１３】
本発明は、上記目的を達成するため、他の画像処理装置と通信可能な画像処理装置であって、前記他の画像処理装置に記憶されている画像データの送信を、前記他の画像処理装置に要求する要求手段と、前記他の画像処理装置から送信された前記画像データを受信する受信手段と、前記受信手段によって受信した画像データを記憶する第１の記憶手段と、前記第１の記憶手段によって記憶された画像データに基づいて画像処理を行っている際に、当該画像処理よりも優先されるジョブが発生したか否かを判定する判定手段と、前記判定手段によって前記ジョブが発生したと判定され、且つ、前記他の画像処理装置に記憶されている画像データが改変されている場合、前記第１の記憶手段によって記憶された画像データを他の記憶部に記憶する第２の記憶手段と、前記ジョブを処理した後、前記第２の記憶手段によって記憶した画像データを前記他の記憶部から取得する取得手段と、前記取得手段によって取得した画像データに基づいて、前記画像処理を再開させる制御手段と、を有することを特徴とする画像処理装置を提供する。
【手続補正７】
【補正対象書類名】明細書
【補正対象項目名】００１４
【補正方法】変更
【補正の内容】
【００１４】
本発明は、上記目的を達成するため、上記画像処理装置の制御方法およびプログラムを提供する。
【手続補正８】
【補正対象書類名】明細書
【補正対象項目名】００１５
【補正方法】変更
【補正の内容】
【００１５】
本発明によれば、他の画像処理装置から送信された画像データに基づいた画像処理の実行中における当該画像データの改変を許可し、かつ割り込みジョブの発生による画像データの退避の回数を極力少なくし、ネットワークに対する余計な負荷を減らすことができる。